【事件の表示】
　特願２００６−２１４０８２「表示装置」拒絶査定不服審判事件〔平成１８年１２月２１日出願公開、特開２００６−３４４２３７〕について、次のとおり審決する。
【結　論】
　本件審判の請求は、成り立たない。
【理　由】
１．手続の経緯
　本願は、平成４年１２月２８日に出願した特願平４−３４８４０５号の一部を平成１５年１１月２５日に新たな特許出願とした特願平２００３−３９４１２１号の一部を平成１８年８月７日に新たな特許出願としたものであって、平成１９年１０月１７日付けで拒絶査定がなされ、これに対し、同年１１月２２日に拒絶査定不服審判が請求され、当審による平成２０年４月３０日付け拒絶理由通知に対し、同年７月７日付けで手続補正書が提出されたものである。
　
　
２．本願発明について
　本願請求項１，２に係る発明は、平成２０年７月７日付けの手続補正書の特許請求の範囲の請求項１，２に記載された事項により特定される、以下のとおりのものである。
　
「【請求項１】
　複数の情報データのタイトルを表示部に表示し，操作部における操作によって選択されたタイトルに対応する情報データについて，前記操作部における操作に応じて画面を切替えて表示可能な制御部を備えた表示装置において，
　表示データの画面表示に必要とされる情報を記憶する保持手段と，
　前記操作部の操作によって表示画面を切替えるとともに，前記保持手段に記憶する前記情報を更新する更新手段と，
　電源オフ後に再起動された場合に，更新された前記情報
により特定される
　を備えたことを特徴とする表示装置。
　　【請求項２】
　請求項１において，
  前記表示装置は，オートパワーオフ処理部を備えたことを特徴とする表示装置。」
　
　
３．刊行物に記載された事項
（１）刊行物１
　当審における拒絶理由通知において引用した、本願出願前に頒布された刊行物である特開平２−４７７７１号公報（以下、「刊行物１」という。）には、図面とともに次の技術事項が記載されている。
　
　「［実施例］
　以下、本発明の実施例について、添付図面を参照しながら説明する。最初に第１図を参照しながら、基本的なシステム構成について説明する。
＜基本構成＞
　同図において、情報供給側であるデータベース部１０は、データベース１２，検索手段１４，通信手段１６を各々有している。
　これらのうち、データベース１０には、例えば多数の文庫本が電子化されて格納されており、検索手段１４によっていずれかを検索できるようになっている。通信手段１６は、矢印ＦＡで示す通信回線に接続されている。
　次に、情報受け取り側である再生部２０は、通信手段２２，記憶手段２４，入力手段２６，表示手段２８を各々有している。
　これらのうち、通信手段２２には、上述した通信回線が各々接続可能となっており、この通信手段２２を介して伝達されたデータは、記憶手段２４に格納されるようになっている。また、通信の開始，検索，表示操作などは、入力手段２６によって行なわれるようになっており、記憶手段２４に格納されたデータの表示は表示手段２８によって行なわれるようになっている。
　この再生部２０は、携帯用に構成されており、必要に応じて通信回線に接続される。
　次に、以上のような情報伝達システムの動作について説明する。データベース部１０から電子化された文庫本の提供を受ける場合は、まず、再生部２０が通信回線に接続され、次に、入力手段２６によって入手を必要とする文庫本の検索が支持される。データベース側では、検索手段１４によって要求されたもののデータベースにおける検索が行なわれ、終了すると、データが通信手段１６によって再生部２０の通信手段２２に伝達され、更に記憶手段２４に格納される。
　次に、再生部２０では、入力手段２６の操作により、記憶手段２４に格納された文庫本の内容が表示手段２８に表示される。
　このように、通信回線を利用して文庫本の内容が伝達されるので、購入のために書店に出向く必要がなく、また、在庫がないなどの不都合は全く生じない。更に、再生部２０は携帯用に構成されているので、必要な時間に必要な場所で文庫本の内容の表示を行なうことができる。」（第３頁右上欄第１行〜右下欄第５行）
　
　「次に、第３図を参照しながら、再生側の装置外観について説明する。同図において、本体１３０の側部には、電力投入用の主電源スイッチ１３２が設けられており、その表面側には表示パネル１３４が設けられている。
　更に、この表示パネル１３４の下側には、ページ送り用スイッチ１３６，ページ戻し用スイッチ１３８が各々設けられており、上側にはページサーチ用ＩＯキー１４０，サーチないし検索指示キー１４２，入力指示キー１４４が各々設けられている。また、本体１３０適宜位置には、通信回線１２４（第２図参照）を接続するための接続端子と、ＣＤ−ＲＯＭドライバなどを接続するための接続端子とが各々設けられている。なお、表示パネル１３４の表示濃度調整用のスイッチなどが、必要に応じて適宜位置に設けられている（図示せず）。
　次に、以上のような外観を有する再生側の構成について、第４図を参照しながら説明する。同図において、上述した通信回線１２４は入出力部１４６の入力側に接続されており、入出力部１４６の出力側は、不揮発性の記憶部１４８，検索表示処理部１５０，記憶部１５２，外部用の入出力部１５４に各々接続されている。
　また、これらのうち、検索表示処理部１５０には、上述した各種キーないしスイッチを含む入力キー部１５６が接続されている。記憶部１５２の出力側は文字発生部１５８の入力側に接続されており、この文字発生部１５８の出力側は、表示記憶部１６０を介して表示部１６２に接続されている。
　更に、上述した入出力部１５４の出力側は、例えばＣＤ−ＲＯＭなどの記録媒体１６４に接続されている。
　以上の各部のうち、検索表示処理部１５０は、入力キー部１５６からの指示に基づいて、検索や表示の動作処理指示を行なうものである。
　次に、記憶部１５２は、例えば半導体メモリによって構成され、主電源スイッチｌ３２（第３図参照）を切っても別電源でバックアップされるようにして、不揮発性となるように構成されている。この記憶部１５２は、文庫本ｌ冊程度、すなわち数百Kバイト程度の記憶容量を有しており、これに格納されたデータに基づいて文字発生部１５８により該当する文字パターンデータか発生されるとともに表示記憶部１６０に格納され、これに基づいて表示部１６２における文庫本の所定ページの表示が行なわれるようになっている。
　更に、入出力部１５４は、ＣＤ−ＲＯＭなどの記録媒体１６４のドライバで、本体１３０（第３図参照）から切り放し可能になっており、可搬性に富む構成となっている。すなわち、記憶部１４８には、通信回線１２４を通じて第２図のデータ供給側からデータか供給されるとともに、入出力部１５４を介して記録媒体１６４からもデータが供給されるようになっている。そして、更に、通信回線１２４を通じて供給された文庫本のデータを、記録媒体１６４に記録できるようにも構成されている。
　次に、以上のように構成された再生側の動作について説明する。最初に、記録媒体１６４からデータの供給を受ける場合について説明する。
　この場合には、本体１３０に入出力部１５４を接続し、入力キー部１５６の入力指示キー１４４を操作して、記録媒体１６４の内容の入力を行なう、このデータは、他の入出力部１４６を介して記憶部１５２に格納される。なお、携帯時には、入出力部１５４は切り放される。
　次に、データ供給側からデータの供給を受ける場合について説明する。この場合には、まず、本体１３０に通信回線１２４が接続され、次に、サーチ指示キー１４２か操作される。これによるサーチ指示は、検索表示処理部１５０に伝えられ、これから入出力部１４６を介してデータ供給側（第２図参照）の記憶部１１２に格納されている文庫本のジャンルのメニューの要求が行なわれる。
　これに応答してデータ供給側からジャンルメニューが伝達されると、記憶部１５２に格納され、更に表示部１６２の表示パネル１３４に表示される。使用者は、この表示を見て必要とするジャンルを選択し、ＩＯキー１４０を使用して選択したジャンルを入力する。
　このジャンルは、検索表示処理部１５０，入出力部１４６を通じてデータ供給側に伝達され、該当するジャンルに含まれる文庫本のタイトルリストが、同様に再生側に伝達されて表示される。同様にして使用者は、希望するタイトルを選択し、これがデータ供給側に伝達される。
　データ供給側では、入力されたタイトルに相当する文庫本のデータが記憶部１１２から出力され、人出力部１２０によって再生側に伝達される。再生側では、このデータが入出力部１４６を介して記憶部１５２に格納される。
　なお、ＩＯキー１４０を操作してファイル番号を入力し、これに基づいて相当する文庫本を直接読み出すようにしてもよい。
　以上のようにして、データ供給側あるいは記録媒体１６４から所望される文庫本の内容が記憶部１５２に格納される。
　次に、記憶部１５２内のデータの再生について説明する。まず、使用者は、入力キー部１５６のＩＯキー１４０を操作して、希望するページを入力する。これが検索表示処理部１５０に入力されると、入出力部１４６に対して該当するページの読み出しが指令される。すると、記憶部１５２からそのページが読み出される。
　次に、読み出されたデータは文字発生部１５８に入力され、相当する文字パターンが表示記憶部１６０に出力される。表示部１６２では、表示記憶部１６０の内容に応じた表示が行なわれる。すなわち、使用者が指示したページが表示パネル１３４に表示されることとなる。
　次に、ページ送りを行なう場合には、使用者によってスイッチ１３６が操作される。これによって、検索表示処理部１５０により該当するページのデータが記憶部１５２から読み出され、更に表示パネル１３４にその表示が行なわれる。ページ戻しの場合には、スイッチ１３８が操作され、同様の動作により該当ページの表示が行なわれる。」（第４頁右下欄第１３行〜第６頁右上欄第８行）
　
　「＜第２実施例＞
　次に、第５図を参照しながら、本発明の第２実施例について説明する。なお、上述した第１実施例と同様ないし相当する構成部分には、同一の符号を用いることとする。以下の実施例においても同様である。
　この第２実施例は、同図に示すように、他の記憶部２００を、検索表示処理部１５０に接続した構成となっている。
　この記憶部２００は、主電源スイッチ１３２（第３図参照）のオフ時においても記憶作用を有し、その主電源スイッチ１３２オフ時直前において表示パネル１３４に表示されていたページが格納されるようになっている。
　このページは、主電源スイッチ１３２の再投入ないしオン時に検索表示処理部１５０に出力されるようになっている。このとき、検索表示処理部１５０は、入力されたページの検索を行なって、その表示が行なわれるように動作する。
　このような第２実施例の動作について説明すると、使用者が一度主電源スイッチ１３２を切って再び投入したとき、記憶部２００の作用によって切断時の表示ページが再び表示パネル１３４に表示されるようになる。別言すれば、記憶部２００は、しおりとして作用することとなる。
　このように、使用者は、電源の投入を行なうだけて該当する読みかけのページの表示を行なうことができる。」（第６頁右下欄第４行〜第７頁左上欄第１１行）
　
「（第３実施例）
　次に、第６図を参照しながら、本発明の第３実施例について説明する。この第３実施例は、上述した第２実施例を更に改良したものである。
　同図において、上述した検索表示処理部１５０には、特定ページ検索指示部３００が接続されている。この特定ページ検索指示部３００は、主電源スイッチ１３２の投入動作に伴って、あらかじめ設定された特定ページの検索指示のトリガな行なうものである。
　この特定ページには、第２図で説明した編集部１０８による編集動作時に、例えば、書名、目次、あるいは登場人物一覧などが入れられ、更にこの特定ページを表わすページアドレスが付加される。
　使用者が主電源スイッチ１３２を投入したとすると、特定ページ検索指示部３００によってその特定ページの検索指示が検索表示処理部１５０に行なわれ、検索された特定ページの内容か表示パネル１３４に表示されることとなる。
　従って、使用者は、文庫本の内容に入る前に目次や登場人物に関する情報を得ることができ、内容の把握に非常に便利になる。
　なお、主電源スイッチ１３２の投入時において、記憶部２００の格納ページと特定ページ検索指示部３００の特定ページの何れを優先して検索し表示するかは、必要に応じて適宜設定すればよい。例えば、最初の主電源スイッチ１３２の操作によって特定ページ検索指示部３００の特定ページを表示し、次の再度の操作によって記憶部２００の直前ページの表示を行なうようにしてもよい。」（第７頁左上欄第１２行〜左下欄第２行）
　
　これらの記載によれば、刊行物１には、次の発明（以下、「刊行物１発明」という。）が開示されていると認めることができる。
　「再生側の装置の本体１３０は、
　表示パネル１３４，ページ送り用スイッチ１３６，ページ戻し用スイッチ１３８，ページサーチ用ＩＯキー１４０，サーチないし検索指示キー１４２，入力指示キー１４４が各々設けられ、
　記憶部１５２の出力側は表示記憶部１６０を介して表示部１６２に接続され、表示部１６２の表示パネル１３４に表示され、
　文庫本のタイトルリストが、再生側に表示され、使用者は、希望するタイトルを選択し、入力されたタイトルに相当する文庫本のデータが記憶部１５２に格納され、
　記憶部１５２内のデータの再生では、該当するページの読み出しが指令され、記憶部１５２からそのページが読み出され、次に、読み出されたデータは表示記憶部１６０に出力され、表示部１６２では、表示記憶部１６０の内容に応じた表示が行なわれ、
　次に、ページ送りを行なう場合には、使用者によってスイッチ１３６が操作され、これによって、検索表示処理部１５０により該当するページのデータが記憶部１５２から読み出され、更に表示パネル１３４にその表示が行なわれ、
　他の記憶部２００を、検索表示処理部１５０に接続した構成においては、使用者が一度主電源スイッチ１３２を切って再び投入したとき、記憶部２００の作用によって切断時の表示ページが再び表示パネル１３４に表示されるようになる、
　再生側の装置の本体１３０。」
　
４．対比
　本願請求項１に係る発明（以下、「本願発明」という。）と刊行物１発明とを比較する。
　刊行物１発明の「再生側の装置の本体１３０」は、本願発明の「表示装置」に相当する。
　刊行物１発明の「表示部１６２」、「表示パネル１３４」は、本願発明の「表示部」に相当する。
　刊行物１発明では、表示部１６２の表示パネル１３４には、「文庫本のタイトルリストが、・・・表示され」、また、「使用者は、希望するタイトルを選択し、入力されたタイトルに相当する文庫本のデータが記憶部１５２に格納され」、記憶部１５２内のデータが再生され表示されるとともに、「再生側の装置の本体１３０」は、「表示パネル１３４，ページ送り用スイッチ１３６，ページ戻し用スイッチ１３８，ページサーチ用ＩＯキー１４０，サーチないし検索指示キー１４２，入力指示キー１４４が各々設けられ」ているから、刊行物１発明の「文庫本のデータ」、「ページ送り用スイッチ１３６，ページ戻し用スイッチ１３８，ページサーチ用ＩＯキー１４０，サーチないし検索指示キー１４２，入力指示キー１４４」はそれぞれ本願発明の「情報データ」、「操作部」に相当し、よって、刊行物１発明は、本願発明の「複数の情報データのタイトルを表示部に表示し，」、「操作部における操作によって選択されたタイトルに対応する情報データについて，・・・表示可能」に相当する構成を備えると言える。
　刊行物１発明の「再生側の装置の本体１３０」は、「ページ送り用スイッチ１３６，ページ戻し用スイッチ１３８・・・が各々設けられ」、「ページ送りを行なう場合には、使用者によってスイッチ１３６が操作され、これによって、検索表示処理部１５０により該当するページのデータが記憶部１５２から読み出され、更に表示パネル１３４にその表示が行なわれ、」るから、刊行物１発明の「表示パネル１３４」は本願発明の「画面」に相当し、刊行物１発明の「再生側の装置の本体１３０」は、本願発明の「操作部における操作に応じて画面を切替えて表示可能な制御部を備えた表示装置」に相当し、また、刊行物１発明は、本願発明の「操作部の操作によって表示画面を切替える」構成を備えると言える。
　刊行物１発明の「記憶部２００」に記憶されるデータについては、（１）記載「次に、記憶部１５２内のデータの再生について説明する。まず、使用者は、入力キー部１５６のＩＯキー１４０を操作して、希望するページを入力する。これが検索表示処理部１５０に入力されると、入出力部１４６に対して該当するページの読み出しが指令される。すると、記憶部１５２からそのページが読み出される。次に、読み出されたデータは文字発生部１５８に入力され、相当する文字パターンが表示記憶部１６０に出力される。表示部１６２では、表示記憶部１６０の内容に応じた表示が行なわれる。」（第６頁第９〜１９行）より、検索表示処理部１５０の入力は、表示に必要とされる”何ページであるかの情報”であり（ページのデータそのものではなく）、また、（２）記載「同図において、上述した検索表示処理部１５０には、特定ページ検索指示部３００が接続されている。この特定ページ検索指示部３００は、主電源スイッチ１３２の投入動作に伴って、あらかじめ設定された特定ページの検索指示のトリガを行なうものである。この特定ページには、第２図で説明した編集部１０８による編集動作時に、例えば、書名、目次、あるいは登場人物一覧などが入れられ、更にこの特定ページを表わすページアドレスが付加される。使用者が主電源スイッチ１３２を投入したとすると、特定ページ検索指示部３００によってその特定ページの検索指示が検索表示処理部１５０に行なわれ、検索された特定ページの内容か表示パネル１３４に表示されることとなる。」（第７頁左上欄第１６行〜右上欄第１１行）からも、検索表示処理部１５０の入力は、表示に必要とされる”何ページであるかの情報”であり（ページのデータそのものではなく）、そうすると、これら（１）、（２）から、記載「この記憶部２００は、主電源スイッチ１３２（第３図参照）のオフ時においても記憶作用を有し、その主電源スイッチ１３２オフ時直前において表示パネル１３４に表示されていたページが格納されるようになっている。このページは、主電源スイッチ１３２の再投入ないしオン時に検索表示処理部１５０に出力されるようになっている。このとき、検索表示処理部１５０は、入力されたページの検索を行なって、その表示が行なわれるように動作する。」（第６頁右下欄第１３行〜第７頁左上欄第２行）における、主電源スイッチ１３２の再投入ないしオン時に検索表示処理部１５０に出力される、記憶部２００に格納される「その主電源スイッチ１３２オフ時直前において表示パネル１３４に表示されていたページ」も”何ページであるかの情報”であることは明らかである。したがって、刊行物１発明の「記憶部２００」に記憶されるデータは、本願発明の「表示データの画面表示に必要とされる情報」に相当する。
　また、刊行物１発明では、「記憶部１５２の出力側は表示記憶部１６０を介して表示部１６２に接続され、表示部１６２の表示パネル１３４に表示され」、「記憶部１５２内のデータの再生では、該当するページの読み出しが指令され、記憶部１５２からそのページが読み出され、次に、読み出されたデータは表示記憶部１６０に出力され、表示部１６２では、表示記憶部１６０の内容に応じた表示が行なわれ」、「使用者が指示したページが表示パネル１３４に表示されることとな」るから、刊行物１発明の「表示記憶部１６０」及び「記憶部２００」は、本願発明の「表示データの画面表示に必要とされる情報を記憶する保持手段」に相当する。
　刊行物１発明の「再生側の装置の本体１３０」は、「他の記憶部２００を、検索表示処理部１５０に接続した構成においては、使用者が一度主電源スイッチ１３２を切って再び投入したとき、記憶部２００の作用によって切断時の表示ページが再び表示パネル１３４に表示されるようにな」り、「使用者は、電源の投入を行なうだけて該当する読みかけのページの表示を行なうことができる」から、本願発明の「電源オフ後に再起動された場合に，更新された前記情報により特定される前記切替え先の画面を表示する管理部」とは、「電源オフ後に再起動された場合に，前記保持手段に保持された、表示データの画面表示に必要とされる情報により特定される前記切替え先の画面を表示する管理部」を備える点で一致する。
　
　したがって、両者は、
　「複数の情報データのタイトルを表示部に表示し，操作部における操作によって選択されたタイトルに対応する情報データについて，前記操作部における操作に応じて画面を切替えて表示可能な制御部を備えた表示装置において，
　表示データの画面表示に必要とされる情報を記憶する保持手段と，
　電源オフ後に再起動された場合に，前記保持手段に保持された，表示データの画面表示に必要とされる情報により特定される前記切替え先の画面を表示する管理部と，
　を備えたこと表示装置。」
の点で一致し、以下の点で相違している。
　
［相違点］
　本願発明は、「操作部の操作によって表示画面を切替えるとともに，前記保持手段に記憶する前記情報を更新する更新手段」を備えるのに対して、刊行物１発明では、「更新手段」については、必ずしも明らかではなく、記載「この記憶部２００は、主電源スイッチ１３２（第３図参照）のオフ時においても記憶作用を有し、その主電源スイッチ１３２オフ時直前において表示パネル１３４に表示されていたページが格納されるようになっている。このページは、主電源スイッチ１３２の再投入ないしオン時に検索表示処理部１５０に出力されるようになっている。このとき、検索表示処理部１５０は、入力されたページの検索を行なって、その表示が行なわれるように動作する。」（第６頁右下欄第１３行〜第７頁左上欄第２行）にあるように、「その主電源スイッチ１３２オフ時直前において表示パネル１３４に表示されていたページが格納される」ものである点。
　
　
５．判断
［相違点］について
　画像表示機器の技術分野において、電源投入後、操作部の操作によって表示画面を切り替えるとともに、保持手段に記憶する操作指示データに係る情報を更新し、電源オフ後に再起動された場合に、前記保持手段に保持された、画面表示に必要とされる情報より特定される画面を表示することは、周知技術（例えば、特開平３−２１４９１９号公報の「従来の技術」に「ラストチャンネルメモリー」として、テレビジョン受像器などの電子装置において、操作部７による指示に伴ってラストチャンネルメモリー９にデータを常に書き込んで、電源投入時に、メモリー９のデータで処理を行うことが記載されている（第１頁右下欄第１３行〜第２頁左上欄第４行）。）である。
　したがって、刊行物１発明の「再生側の装置の本体１３０」（本願発明の「表示装置」に相当。）において、「使用者が一度主電源スイッチ１３２を切って再び投入したとき、記憶部２００の作用によって切断時の表示ページが再び表示パネル１３４に表示されるように」するにあたり、「その主電源スイッチ１３２オフ時直前において表示パネル１３４に表示されていたページ」を格納することに替えて、ページ送り用スイッチ１３６，ページ戻し用スイッチ１３８の操作で表示パネル１３４にページデータを表示するとともに、記憶部２００に記憶する画面表示に必要とされる情報を更新し、本願発明のように「操作部の操作によって表示画面を切替えるとともに，前記保持手段に記憶する前記情報を更新する更新手段」を備え、「電源オフ後に再起動された場合に，更新された前記情報により特定される前記切替え先の画面を表示する」ものとすることは、当業者が容易に想到できたものである。
　
　
　そして、本願発明の作用効果も、刊行物１発明から当業者が予測できる範囲のものである。
　
　
６．結び
　
　したがって、本願の請求項１に係る発明は、刊行物１発明に基づいて、当業者が容易に発明をすることができたものであるから、請求項２に係る発明について論及するまでもなく、特許法第２９条第２項の規定により、特許を受けることができない。
　
　よって、結論のとおり審決する。